(57)【要約】【課題】備え付けの表示装置および外部表示装置のそれぞれに適合した表示が行えるようにしたカメラ装置およびそのカメラ装置におけるＧＵＩ切替方法を提供する。【解決手段】カメラ装置１００は撮影映像を表示するＬＣＤ１０９と、そのＬＣＤ１０９が表示するＧＵＩ（Graphical  User  Interface）と、外部表示装置としての外部モニタ２００が表示するＧＵＩ（Graphical  User  Interface）とを切り替えるＧＵＩ切替手段とを有している。【選択図】図１
2008252454.tif 000002
【特許請求の範囲】
【請求項１】
撮影映像を表示する表示手段と、
該表示手段が表示するＧＵＩ（Graphical  User  Interface）と、外部表示装置が表示するＧＵＩ（Graphical  User  Interface）とを切り替えるＧＵＩ切替手段とを有するカメラ装置。
【請求項２】
前記ＧＵＩ切替手段は前記外部表示装置が接続されているか否かに応じて、前記表示手段が表示するＧＵＩ（Graphical  User  Interface）と、前記外部表示装置が表示するＧＵＩ（Graphical  User  Interface）とを切り替える請求項１記載のカメラ装置。
【請求項３】
前記表示手段に適合したＧＵＩ（Graphical  User  Interface）を前記表示手段に表示させるための第１の表示パラメータと、前記外部表示装置に適合したＧＵＩ（Graphical  User  Interface）を前記外部表示装置に表示させるための第２の表示パラメータとのいずれか一方を設定するパラメータ設定手段を更に有し、
前記ＧＵＩ切替手段は、前記パラメータ設定手段により設定された前記第１の表示パラメータまたは前記第２の表示パラメータにしたがい、前記表示手段が表示するＧＵＩ（Graphical  User  Interface）と、前記外部表示装置が表示するＧＵＩ（Graphical  User  Interface）とを切り替える請求項１記載のカメラ装置。
【請求項４】
前記パラメータ設定手段は、前記外部表示装置が表示するＧＵＩ（Graphical  User  Interface）よりも前記表示手段が表示するＧＵＩ（Graphical  User  Interface）の表示項目数が少なくなるようにして前記第１の表示パラメータを設定する請求項３記載のカメラ装置。
【請求項５】
前記外部表示装置が接続されているかどうかを判定する接続判定手段と、
該接続判定手段が、前記外部表示装置が接続されていると判定したときに前記外部表示装置から前記外部表示装置の表示性能に関する装置情報を取得する取得手段と、
該取得手段が取得した前記装置情報にしたがい、前記外部表示装置が前記表示手段よりも解像度の高い高解像度表示が可能かどうかを判定する表示判定手段とを更に有し、
前記パラメータ設定手段は、前記表示判定手段が前記高解像度表示が可能であると判定したときは、前記第２の表示パラメータを高解像度表示用に設定する請求項３または４記載のカメラ装置。
【請求項６】
前記表示判定手段は、前記外部表示装置の接続に用いられるコネクタの種類に応じて前記外部表示装置が前記高解像度表示が可能などうかを判定する請求項５記載のカメラ装置。
【請求項７】
前記パラメータ設定手段は、前記接続判定手段の判定結果に応じて、前記第１の表示パラメータまたは前記第２の表示パラメータを設定する請求項５または６記載のカメラ装置。
【請求項８】
撮影映像を表示する表示手段を備えたカメラ装置におけるＧＵＩ切替方法であって
前記表示手段に適合したＧＵＩ（Graphical  User  Interface）を前記表示手段に表示させるための第１の表示パラメータと、外部表示装置に適合したＧＵＩ（Graphical  User  Interface）を前記外部表示装置に表示させるための第２の表示パラメータとのいずれかを設定し、
前記設定された前記第１の表示パラメータまたは前記第２の表示パラメータにしたがい、前記表示手段が表示するＧＵＩ（Graphical  User  Interface）と、前記外部表示装置が表示するＧＵＩ（Graphical  User  Interface）とを切り替えるＧＵＩ切替方法。
【発明の詳細な説明】
【技術分野】
【０００１】
本発明は、デジタルカメラ、ビデオカメラ等のカメラ装置およびそのカメラ装置におけるＧＵＩ切替方法に関する。
【背景技術】
【０００２】
従来、被写体の光学画像を静止画（静止画像）または動画（動画像）として取込み、撮影した画像を画像データに変換して電子的に保存するカメラ装置（電子カメラ装置ともいう）が知られている。従来のカメラ装置には、静止画の撮影を主体とするデジタルカメラと、動画の撮影を主体とするビデオカメラとがある。
【０００３】
デジタルカメラ、ビデオカメラのいずれについても従来から様々なものが普及している。例えば、特許文献１には、外部表示装置が接続されているときにその外部表示装置の表示解像度を検知して、検知した表示解像度に応じて表示用画像を拡大または縮小して表示させるデジタルカメラが開示されている。
【特許文献１】特開２００４−１２８５８７号公報
【発明の開示】
【発明が解決しようとする課題】
【０００４】
従来のカメラ装置は画面サイズが２インチから３．５インチ程度の表示装置を具備していることが多い。ユーザはその表示装置に表示される映像やメニューを視認しながら（確認しながら）フレーミングをしたり、再生される撮影の確認などを行うことが一般的である。
【０００５】
しかし、カメラ装置に具備されている表示装置は画面サイズが小さいため、映像や各種の情報をある程度見やすく表示しようとすると、表示される情報量が限られてしまうことが多い。
【０００６】
一方、カメラ装置で撮影した映像をユーザが閲覧するときは、カメラ装置の表示装置よりも画面サイズが大きい液晶テレビやモニタ装置といったカメラ装置とは別体の外部表示装置をカメラ装置に接続し、その外部表示装置に映像を表示することが多い。しかも、近年、接続される外部表示装置の画面サイズの大型化が進展著しく、表示の高解像度化も進展著しい。
【０００７】
しかしながら、従来のカメラ装置は外部表示装置が接続されていても、外部表示装置にはカメラ装置の表示装置と同じ画像等しか表示することができなかった。そのため、外部表示装置の表示性能が十分に生かされていなかった。
【０００８】
そこで、本発明は上記課題を解決するためになされたもので、備え付けの表示装置および外部表示装置のそれぞれに適合した表示が行えるようにしたカメラ装置およびそのカメラ装置におけるＧＵＩ切替方法を提供することを目的とする。
【課題を解決するための手段】
【０００９】
上記課題を解決するため、本発明は、撮影映像を表示する表示手段と、その表示手段が表示するＧＵＩ（Graphical  User  Interface）と、外部表示装置が表示するＧＵＩ（Graphical  User  Interface）とを切り替えるＧＵＩ切替手段とを有するカメラ装置を特徴とする。
【００１０】
また、本発明は、撮影映像を表示する表示手段を備えたカメラ装置におけるＧＵＩ切替方法であって、表示手段に適合したＧＵＩ（Graphical  User  Interface）を表示手段に表示させるための第１の表示パラメータと、外部表示装置に適合したＧＵＩ（Graphical  User  Interface）を外部表示装置に表示させるための第２の表示パラメータとのいずれかを設定し、設定された第１の表示パラメータまたは第２の表示パラメータにしたがい、表示手段が表示するＧＵＩ（Graphical  User  Interface）と、外部表示装置が表示するＧＵＩ（Graphical  User  Interface）とを切り替えるＧＵＩ切替方法を提供する。
【発明の効果】
【００１１】
以上詳述したように、本発明によれば、備え付けの表示装置および外部表示装置のそれぞれに適合した表示が行えるようにしたカメラ装置およびそのカメラ装置におけるＧＵＩ切替方法が得られる。
【発明を実施するための最良の形態】
【００１２】
以下、本発明の実施の形態について説明する。なお、同一要素には同一符号を用い、重複する説明は省略する。
【００１３】
（カメラ装置の構成）
図１は本発明の実施形態に係るカメラ装置１００の背面側からみた外観を示す斜視図、図２は同じくカメラ装置１００の主要な構成を示すブロック図である。図１、２に示すカメラ装置１００は動画の撮影を主体とし、静止画も撮影することが可能なデジタルビデオカメラ装置である。
【００１４】
カメラ装置１００はＣＣＤ（Charge  Coupled  Devices）などの各種電子部品を内蔵し、後述する各種操作キーが備えられた本体部１２０と、ＬＣＤ表示部１０９とを有している。ＬＣＤ表示部１０９は本体部１２０の側面部分に可動式で取り付けられている。ＬＣＤ表示部１０９は撮影映像を表示する表示手段である。
【００１５】
カメラ装置１００は、動画の撮影や再生の際にＭＰＥＧ−２にしたがい圧縮したデータを扱う。カメラ装置１００は動画を再生するときには、通常の再生以外に、逆再生、高速再生、高速逆再生、コマ送り、コマ戻しなどのトリック再生が簡単に実現できる。さらに、カメラ装置１００は画像データの記録媒体を磁気テープにする場合と違って、後述するＨＤＤ１０５またはメモリカード１１７といったランダムアクセス可能な記録媒体を用いている。そのため、ユーザが見たい映像のサーチも容易に行えるようになっている。
【００１６】
そして、図２に示すようにこのカメラ装置１００はデジタル信号出力部１０１と、信号処理部１０２と、圧縮伸張処理部１０３と、メモリ１０４およびＨＤＤ（Hard  Disk  Drive）１０５とを有している。
【００１７】
また、カメラ装置１００は、メモリカードスロット１０６と、ビデオデコーダ１０７と、ＬＣＤ（Liquid  Crystal  Display）ドライバ１０８と、ＬＣＤ１０９と、ＬＡＮコントローラ１１０およびＵＳＢコントローラ１１１を有している。さらに、カメラ装置１００は、ＬＡＮ端子１１２と、ＵＳＢ端子１１３と、ＣＰＵ１１４と、操作部１１５を有し、２つの操作キー（チャプタキー１１６、ＲＥＣキー１１７）を有し、さらに、ＡＶコントローラ１１８およびＡＶ端子接続部１１９を有している。
【００１８】
デジタル信号出力部１０１は、図示しないレンズを通して得られる被写体の光学画像を用いてＣＣＤ（Charge  Coupled  Device）が生成したアナログの電気信号をデジタル信号に変換して信号処理部１０２に出力する。
【００１９】
信号処理部１０２は、入力されるデジタル信号に画像処理を施して、実際に撮影された撮影映像を示す動画データを生成する動画データ生成手段としての機能を有している。なお、生成された動画データは一旦メモリ１０４に格納される。
【００２０】
圧縮伸張処理部１０３は、メモリ１０４から取り出した動画データをＭＰＥＧ−２にしたがい圧縮して圧縮動画データとし、静止画データをＪＰＥＧにしたがい圧縮して圧縮静止画データとする。また、圧縮伸張処理部１０３は、ＣＰＵ１１４の指示にしたがい圧縮動画データおよび圧縮静止画データを伸長する。
【００２１】
メモリ１０４は信号処理部１０２による処理の対象となるデータや、圧縮伸張処理部１０３による処理の対象となるデータが一時的に記憶される。
【００２２】
ＨＤＤ１０５は、外部記憶装置であって、内蔵しているＨＤ（Hard  Disc）に圧縮された動画データ（圧縮動画データ）および音声データ並びに圧縮静止画データを記録する。ＨＤＤ１０５はＨＤ（Hard  Disc）に対して、ランダムアクセスでデータの読み書きを行う。
【００２３】
メモリカードスロット１０６は、ＳＤメモリカード（Secure  Digital  memory  card）などのメモリカード１１７が差込まれ、その差込まれたメモリカード１１７に対するデータの読み書きを行う。メモリカード１１７には、圧縮された動画データなどが記録される。
【００２４】
ビデオデコーダ１０７は、圧縮されている動画データを用いて、撮影された撮影映像を表示するため、動画データの復号化処理を行い、ＬＣＤドライバ１０８とＡＶコントローラ１１８に出力する。このビデオデコーダ１０７は、復号化プログラムにより実現されるソフトウェアデコーダである。
【００２５】
ＬＣＤドライバ１０８は、ビデオデコーダ１０７から受けた復号化された動画データをＬＣＤ１０９のインタフェースに適合した表示信号に変換する。ＬＣＤ１０９は、ＬＣＤドライバ１０８から出力される表示信号を用いて撮影映像を表示する。また、ＬＣＤ１０９は、ユーザの操作に応じてＧＵＩを表示する。
【００２６】
ＬＡＮコントローラ１１０は、ＣＰＵ１１４の指示にしたがい、メモリ１０４から取り出した動画データをＬＡＮ端子１１２を介して接続される図示しない外部の装置（例えば、ＤＶＤレコーダやＨＤＤレコーダ）へ転送する。また、ＬＡＮコントローラ１１０は、ＬＡＮ端子１１２を介して外部の装置から取り込んだ動画データをメモリ１０４に出力する。
【００２７】
ＵＳＢコントローラ１１１は、ＣＰＵ１１４の指示にしたがい、メモリ１０４から取り出した動画データをＵＳＢ端子１１３を介して接続される図示しない外部の装置（例えば、パーソナルコンピュータ）へ転送する。また、ＵＳＢコントローラ１１１は、ＵＳＢ端子１１３を介して外部の装置から取り込んだ動画データをメモリ１０４に出力する。
【００２８】
ＣＰＵ１１４は、図示しないＲＯＭに記憶されているプログラムにしたがい各種手段（ＧＵＩ切替手段、パラメータ設定手段、接続判定手段、取得手段、表示判定手段）として作動する。また、ＣＰＵ１１４は、他の構成要素との信号の入出力を行い、カメラ装置１００全体の動作制御や各シーケンスの制御を行う。
【００２９】
操作部１１５はＪＯＧダイヤルと十字キーを有している。操作部１１５はユーザによってカメラ装置１００における種々の機能（例えば、再生の開始や停止、撮影の停止や一時停止など）を選択および実行する等の操作が行われる操作手段である。また、動画が再生されているときにＪＯＧダイヤルが操作されると、その操作に応じて再生速度が調整されるようになっている。
【００３０】
チャプタキー１１６は、ユーザが押下操作を行うことによって、チャプタ生成指示をＣＰＵ１１４に入力する。チャプタ生成指示はチャプタデータを生成し、その生成したチャプタデータをチャプタテーブルに記録することをＣＰＵ１１４に指示するデータである。なお、チャプタキー１１６を用いると、ユーザの手動操作によってチャプタデータを生成することができる。ＲＥＣキー１１７はユーザが押下操作を行うことによって、録画の開始指示をＣＰＵ１１４に入力する。
【００３１】
ＡＶコントローラ１１８は、ＣＰＵ１１４の指示にしたがい、メモリ１０４から取り出した動画データをＡＶ端子１１９およびＡＶケーブル２０２を介して接続される外部モニタ２００に出力して、外部モニタ２００に動画を表示させる。また、ＡＶコントローラ１１８は、ＣＰＵ１１４の指示にしたがい、後述する第１または第２の表示パラメータに応じてＧＵＩをＬＣＤ１０９に表示させる。さらに、ＡＶコントローラ１１８は、ＣＰＵ１１４の指示にしたがい外部モニタ２００との間で通信を実行する。
【００３２】
ＡＶ端子１１９は、ＡＶケーブル２０２のコネクタ２０１を差し込めるようになっている。このＡＶ端子１１９には、コネクタ２０１の反対側にコンポジット端子、Ｓ端子、コンポーネント端子、Ｄ端子およびＨＤＭＩ端子のいずれかの端子を備えたケーブルをＡＶケーブル２０２として接続することができる。ＡＶケーブル２０２はコネクタ２０１の反対側に外部モニタ２００が接続されるようになっている。
【００３３】
また、カメラ装置１００はＡＶ端子１１９に接続されるＡＶケーブル２０２の端子の形状に応じて、外部モニタ２００が解像度の高い表示（高解像度表示）を行える表示装置（高解像度表示装置ともいう）かどうかを判定するようになっている（詳しくは後述する）。
【００３４】
（カメラ装置の動作内容）
次に、カメラ装置１００の動作内容について図３〜図４を参照して説明する。ここで、図３はＧＵＩ表示制御処理の動作手順を示すフローチャート、図４はＧＵＩ表示処理の動作手順を示すフローチャートである。
【００３５】
カメラ装置１００は、操作部１１５を用いたユーザの操作入力があり、その操作入力に応じたＧＵＩ（Graphical  User  Interface）をＬＣＤ１０９または外部モニタ２００に表示する必要がある場合に図３に示すフローチャートに沿ってＧＵＩ表示制御処理を実行する。ＧＵＩ表示制御処理はＣＰＵ１１４が図３に示すフローチャートに沿って実行する。
【００３６】
ＣＰＵ１１４は、ＧＵＩ表示制御処理を開始すると、接続判定手段としての動作を行い、外部表示装置としての外部モニタ２００が接続されているかどうかを判定する（Ｓ１）。ＣＰＵ１１４は外部モニタ２００が接続されていると判定したときは、接続フラグに外部モニタ２００が接続されていることを示すデータ（例えば本実施の形態では“１”としているがそのほかのデータでもよい）をセットする（Ｓ２）。また、ＣＰＵ１１４は外部モニタ２００が接続されていると判定しないときは、後述するＳ７に進む。
【００３７】
ＣＰＵ１１４は、Ｓ２に続いてＳ３に進み、外部モニタ２００との通信によって、外部モニタ２００から後述する装置情報を取得できるかどうかを判定する。ＣＰＵ１１４は、装置情報を取得できると判定したときは後述するＳ４に進むが、そうでなければ後述するＳ５に進む。
【００３８】
ＣＰＵ１１４はＳ４に進むと、取得手段としての動作を行い、外部モニタ２００との通信を行うようにＡＶコントローラ１１８に指示して、ＡＶコントローラ１１８の制御によって外部モニタ２００から装置情報を取得する（Ｓ４）。また、ＣＰＵ１１４はＳ５に進むと、ＡＶ端子１１９に接続されているＡＶケーブル２０２のコネクタの種類をチェックするための情報（コネクタ情報）を収録する。
【００３９】
ＣＰＵ１１４はＳ４またはＳ５に続いてＳ６に進み、表示判定手段としての動作を行い、装置情報またはコネクタ情報にしたがい、外部モニタ２００が高解像度表示装置かどうかを判定する（Ｓ６）。
【００４０】
ＣＰＵ１１４は、外部モニタ２００が高解像度表示装置であると判定したときはＳ８に進み、そうでなければＳ７に進む。ここで、ＣＰＵ１１４がＳ６でコネクタ情報にしたがう場合は次のようにすることができる。例えばＣＰＵ１１４は、コネクタの種類がＤ端子またはＨＤＭＩ端子であるときは外部モニタ２００が高解像度表示装置であると判定し、それ以外のときは外部モニタ２００が高解像度表示装置ではないと判定することができる。
【００４１】
以上のようにして、カメラ装置１００は、外部モニタ２００が接続されていない場合と接続されている外部モニタ２００が高解像度の表示を行えない装置の場合に後述する第１の表示パラメータを設定する。また、外部モニタ２００が接続され、その外部モニタ２００が高解像度の表示を行える装置であるときは後述する第２の表示パラメータを設定するようにしている。
【００４２】
そして、設定された表示パラメータにしたがってＧＵＩが生成されるので（後述するＳ２１）、ＣＰＵ１１４は外部モニタ２００が接続されているか否かに応じて設定する表示パラメータを変更することによって、ＧＵＩの切り替えを行っている。こうして、ＣＰＵ１１４はＧＵＩの切替手段としての動作を行っている。
【００４３】
また、ＣＰＵ１１４はＳ７に進むと、標準精細モード用の表示パラメータ（主にＬＣＤ１０９用の表示パラメータで、第１の表示パラメータともいう）を設定し、Ｓ８に進むと高精細モード用の表示パラメータ（高解像度表示を行える外部モニタ２００用の表示パラメータで、第２の表示パラメータともいう）を設定する。なお、Ｓ７、Ｓ８においてＣＰＵ１１４はパラメータ設定手段として作動している。
【００４４】
ここで、表示パラメータは例えば、表示しようとするＧＵＩの各項目の表示位置を示す座標データを備えたＧＵＩマップによって構成することができる。
【００４５】
さらに、ＣＰＵ１１４はＳ７またはＳ８に続いてＳ９に進み、操作部１１５の操作入力に応じてカーソル移動処理を行い、続くＳ１０では、後述するＧＵＩ表示処理を行い、ＬＣＤ１０９または外部モニタ２００の一方または双方にＧＵＩを表示させる。
【００４６】
ＣＰＵ１１４はＧＵＩ表示処理を実行すると接続フラグをクリアして（Ｓ１１）、ＧＵＩ表示制御処理を終了する。
【００４７】
そして、ＣＰＵ１１４はＧＵＩ表示処理を図４に示すフローチャートに沿って実行する。
【００４８】
ＣＰＵ１１４はＧＵＩ表示処理を開始すると、設定されている表示パラメータに応じたＧＵＩを生成する（Ｓ２１）。続いてＣＰＵ１１４は接続フラグがセットされているかどうか（接続フラグが“１”であるかどうか）を判定する（Ｓ２２）。ここで、ＣＰＵ１１４は接続フラグがセットされていると判定したとき（この場合は外部モニタ２００が接続されている）はＳ２３を実行するが、そうでなければＳ２３を実行せずにＳ２４に進む。
【００４９】
ＣＰＵ１１４はＳ２３に進むと、ＡＶコントローラ１１８に指示して、生成したＧＵＩを外部モニタ２００に表示させる。
【００５０】
ＣＰＵ１１４はＳ２４に進むと、操作部１１５からの操作入力により、ＬＣＤ１０９におけるＧＵＩの表示を消去するための操作（表示消去操作）がユーザによって行われたかどうかを判定する。
【００５１】
ＣＰＵ１１４は表示消去操作が行われたと判定したときは後述するＳ２５を実行せずにＧＵＩ表示処理を終了する。また、表示消去操作が行われたと判定しないときはＳ２５に進む。
【００５２】
Ｓ２５に進むと、ＣＰＵ１１４はＬＣＤドライバ１０８に指示して、生成したＧＵＩをＬＣＤ１０９に表示させる。ＣＰＵ１１４はＳ２５を実行すると、ＧＵＩ表示処理を終了する。
【００５３】
ここで、上述したＧＵＩ表示制御処理において、ＣＰＵ１１４は標準精細モード用の表示パラメータ（第１の表示パラメータ）および高精細モード用の表示パラメータ（第２の表示パラメータ）を次のようにして設定することができる。
【００５４】
例えば、ユーザの操作入力により、撮影した映像のサムネイル表示のためのＧＵＩを表示する場合の表示パラメータは次のようにすることができる。
【００５５】
例えば、標準精細モード用の表示パラメータは２行３列の合計６つ表示させるように設定する。また、高精細モード用の表示パラメータはサムネイルを５行６列の合計３０個表示させ、サムネイル数が５倍になるように設定する。
【００５６】
こうすると、例えば、図５の左側に示すように、ＬＣＤ１０９には画面サイズの大きさに応じてサムネイルの表示個数（この場合、各サムネイルが表示項目になる）を少なくすることによって、各サムネイルを大きくし、各サムネイルを見やすくしてＧＵＩを表示することができる。
【００５７】
また、図５の右側に示すように、外部モニタ２００が高解像度の表示を行える装置であるときは、その画面サイズの大きさに応じて、サムネイルの表示個数を多くしてＧＵＩを表示することができる。
【００５８】
このように、カメラ装置１００は、表示装置に応じたＧＵＩの切り替えを行うことにより、ＬＣＤ１０９に表示するときは、表示項目数を少なめにして、画面サイズが小さいながらも見やすさを重視した見やすい表示にすることができる。また、外部モニタ２００が接続されているときは、その画面サイズに適合するように表示項目数を多くし、なるべく多くの情報を表示することができる。したがって、カメラ装置１００は、ＬＣＤ１０９および外部モニタ２００の表示性能に適合した表示を行えるようになっている。
【００５９】
また、以上のようにすると外部モニタ２００が接続されているときは、ＧＵＩ表示の一覧性を高めることができ、ユーザが必要な情報を検索する際の利便性を上げることも可能になる。
【００６０】
しかも、カメラ装置１００は、ＬＣＤ１０９と外部モニタ２００のそれぞれに応じた表示パラメータを設定し、設定された表示パラメータにしたがってＧＵＩを表示している。そのため、ＬＣＤ１０９と外部モニタ２００のそれぞれに応じたＧＵＩを別個に生成する場合よりも処理を簡略化することができる。また、表示パラメータの変更という柔軟な対応によってＧＵＩを変更できるので、ＧＵＩの変更の必要が生じたとしても容易に対応することができる。
【００６１】
また、カメラ装置１００は、表示パラメータの設定を変更することによって、図６（Ａ），（Ｂ）に示すようにしてＧＵＩを表示することができる。図６（Ａ）はＬＣＤ１０９に表示するＧＵＩの他の一例を示す図、図６（Ｂ）は外部モニタ２００に表示するＧＵＩの他の一例を示す図である。図６（Ａ）、（Ｂ）に示すように、表示項目数に差を設けるだけでなく、表示項目の配置場所を変更したり、デザインを変更するなどして、ＬＣＤ１０９に表示するＧＵＩと、外部モニタ２００に表示するＧＵＩとを切り替ええるようにしてもよい。
【００６２】
図６（Ａ）では、動画マークＰ１、静止画マークＰ２が左側に縦に並べて表示されているのに対し、図６（Ｂ）では、動画マークＰ１、静止画マークＰ２が左右に離れて表示されている。
【００６３】
また、図６（Ａ）では、ズームバーＰ３が画面下側に横向きでしかも他の項目がなく単独で表示されているのに対し、図６（Ｂ）では、ズームバーＰ３が画面左側に他の項目とともに縦向きに表示されている。
【００６４】
この図６（Ａ）、（Ｂ）のようにして、撮影した映像やＧＵＩを表示する装置がＬＣＤ１０９か外部モニタ２００かに応じてＧＵＩを切り替えることによって、単に表示される情報量だけでなく、ＬＣＤ１０９には、くっきりと見やすいデザインで表示する一方、外部モニタ２００には落ち着いたデザインでＧＵＩを表示するといった対応も可能になる。
【００６５】
そして、カメラ装置１００は屋外で使われる可能性が高いが、カメラ装置１００が屋外で使用されるときは外部モニタ２００が接続される場合は少なく、撮影した映像やＧＵＩを表示する装置はＬＣＤ１０９だけになることが多い。そのため、そのＬＣＤ１０９にＧＵＩをくっきりと見やすいデザインで表示することによって、屋外でもＬＣＤ１０９の表示性能を十分に発揮させることができる。
【００６６】
さらに、カメラ装置１００は外部モニタ２００が接続されている場合でも、外部モニタ２００が高解像度表示装置のときにだけ高精細モード用の表示パラメータを設定している。そのため、外部モニタ２００が接続されていても、高解像度表示が可能でなければＬＣＤ１０９と同じ標準解像度でＧＵＩが表示される。こうして、カメラ装置１００はＧＵＩの表示に解像度の違いを反映させることができ、外部モニタ２００の表示性能に応じたＧＵＩ表示を行える。
【００６７】
ところで、カメラ装置１００は、ＧＵＩの表示を手動で切り替えるようにしてもよい。この場合、例えば、カメラ装置１００は、図７に示すフローチャートに沿って、ＧＵＩ表示制御処理を実行することができる。
【００６８】
このフローチャートは図３に示したフローチャートと比較して、Ｓ１、Ｓ２の間にＳ２６を実行する点が異なり、他は同じである。そのＳ２６では、ＧＵＩの切り替え操作がユーザによって行われたか否かをＣＰＵ１１４が判定する。ここで、ＣＰＵ１１４はＧＵＩの切り替え操作が行われたと判定したときはＳ２に進むが、そうでなければＳ７に進む。
【００６９】
ここで、ＧＵＩの切り替え操作とは、ユーザが操作部１１５を用いて、ＧＵＩ表示をＬＣＤ１０９から外部モニタ２００に切り替えるための操作である。カメラ装置１００に外部モニタ２００が接続されているときにユーザがＧＵＩの切り替え操作を手動で行うとＳ２に処理が進んで接続フラグがセットされるが、外部モニタ２００が接続されていてもユーザがＧＵＩの切り替え操作を手動で行わないと接続フラグがセットされない。そのため、ユーザがＧＵＩの切り替え操作を手動で行うかどうかで外部モニタ２００にＧＵＩ表示が行われるかどうかが切り替わる。
【００７０】
こうすることにより、カメラ装置１００はＬＣＤ１０９から外部モニタ２００へのＧＵＩ表示の切り替えを手動で行うこともできる。
【００７１】
なお、上述したカメラ装置１００では、ランダムアクセスによりデータの読み書きを行える外部記憶装置として、ＨＤＤ１０５を有しているが、ＨＤＤ１０５のほか、ＤＶＤ（Digital  Versatile  Disk）へのデータの記録を行うＤＶＤドライブを備えていてもよい。そして、ＤＶＤドライブにより、ＤＶＤ−ＲＷ、ＤＶＤ−ＲＡＭなどの書き換え可能な記憶媒体に動画データを記憶するようにすればよい。
【００７２】
以上の説明は、本発明の実施の形態についての説明であって、この発明の装置及び方法を限定するものではなく、様々な変形例を容易に実施することができる。又、各実施形態における構成要素、機能、特徴あるいは方法ステップを適宜組み合わせて構成される装置又は方法も本発明に含まれるものである。
【図面の簡単な説明】
【００７３】
【図１】本発明の実施形態に係るカメラ装置の背面側からみた外観を示す斜視図である。
【図２】本発明の実施形態に係るカメラ装置の主要な構成を示すブロック図である。
【図３】ＧＵＩ表示制御処理の動作手順を示すフローチャートである。
【図４】ＧＵＩ表示処理の動作手順を示すフローチャートである。
【図５】ＧＵＩ表示の一例を示す図で（ａ）はＬＣＤに表示した場合、（ｂ）は外部モニタに表示した場合である。
【図６】ＧＵＩ表示の他の一例を示す図で（ａ）はＬＣＤに表示した場合、（ｂ）は外部モニタに表示した場合である。
【図７】別のＧＵＩ表示制御処理の動作手順を示すフローチャートである。
【符号の説明】
【００７４】
１００…カメラ装置、１０２…信号処理部、１０５…ＨＤＤ、１０９…ＬＣＤ
１１４…ＣＰＵ、１１６…チャプタキー、１１８…ＡＶコントローラ
１１９…ＡＶ端子、２００…外部モニタ、２０１…コネクタ
【図１】
2008252454.tif 000003
【図２】
2008252454.tif 000004
【図３】
2008252454.tif 000005
【図４】
2008252454.tif 000006
【図７】
2008252454.tif 000007
【図５】
2008252454.tif 000008
【図６】
2008252454.tif 000009